(57)【特許請求の範囲】
【請求項１】
ツイストロック式の工具取付部（１ａ）を先端に具備した共用操作棒（１）及び一対の把持アーム（２ａ，２ｂ）を操作棒（２ｃ）の先端に備えた絶縁ヤットコ（２）の何れにも保持させることができる先端工具用アダプタ（３Ａ）であって、
上部に先端工具（Ｔ）が装着される工具装着部（４ａ）を有し、少なくとも下部が前記共用操作棒（１）の工具取付部（１ａ）を挿入可能な筒状に形成された本体（４）と、
前記絶縁ヤットコ（２）の一方の把持アーム（２ａ）を挿入させるために前記本体（４）の下部に形成される貫通孔（５）と、
前記共用操作棒（１）の工具取付部（１ａ）の先端を当接させるために前記本体（４）内における前記貫通孔（５）より上方の位置に設けられるストッパー（６）と、
前記工具取付部（１ａ）の直径方向に突出する一方の係止ピン（１ｂ）を導入するために前記本体（４）の下端と前記貫通孔（５）の間に形成される一方のガイド溝（８）と、
前記一方の係止ピン（１ｂ）を係入させるために前記貫通孔（５）の下部周縁に形成される一方の係止凹部（５ａ）と、
他方の前記係止ピン（１ｂ）を導入するために前記本体（４）に形成される他方のガイド溝（９）と、
前記他方の係止ピン（１ｂ）を係入させるために前記一方の係止凹部（５ａ）に対向して前記本体（４）に形成される他方の係止凹部（９ａ）と、を具備したことを特徴とする先端工具用アダプタ。
【請求項２】
ツイストロック式の工具取付部（１ａ）を先端に具備した共用操作棒（１）及び一対の把持アーム（２ａ，２ｂ）を操作棒（２ｃ）の先端に備えた絶縁ヤットコ（２）の何れにも保持させることができる先端工具用アダプタ（３Ｂ）であって、
上部に先端工具（Ｔ）が装着される工具装着部（４ａ）を有し、少なくとも下部が前記共用操作棒（１）の工具取付部（１ａ）を挿入可能な筒状に形成された本体（４）と、
前記絶縁ヤットコ（２）の一方の把持アーム（２ａ）を挿入させるために前記本体（４）の下部に直径方向に形成される一対の貫通孔（５）（５）と、
前記共用操作棒（１）の工具取付部（１ａ）の先端を当接させるために前記本体（４）内における前記貫通孔（５）（５）より上方の位置に設けられるストッパー（６）と、
前記工具取付部（１ａ）の直径方向に突出する一対の係止ピン（１ｂ）（１ｂ）をそれぞれ導入するために前記本体（４）の下端と前記一対の貫通孔（５）（５）の間にそれぞれ形成されるガイド溝（８）（８）と、
前記一対の係止ピン（１ｂ）（１ｂ）を係入させるために前記一対の貫通孔（５）（５）の下部周縁に形成される係止凹部（５ａ）（５ａ）と、を具備したことを特徴とする先端工具用アダプタ。
【発明の詳細な説明】
【技術分野】
【０００１】
本発明は、間接活線作業用の共用操作棒及び絶縁ヤットコの何れにも保持させることができる先端工具用アダプタに関する。
【背景技術】
【０００２】
高圧線に対する間接活線作業は、作業者が高圧線から離れた位置で所要の先端工具を装着した共用操作棒を操作することによって行われる。その先端工具は、例えば、切断工具や把持工具、ボルト締結工具、電線接続工具、電線皮剥工具、事故点探査用アタッチメント（検電器）等々があり、それらの先端工具は、共用操作棒に着脱自在に装着可能なツイストロック式のアダプタを備えている（例えば、特許文献１参照）。
【０００３】
そのアダプタは、例えば、図９に示すように、共用操作棒１の工具取付部１ａを挿入可能な筒状に形成された本体４の下部に、工具取付部１ａの直径方向に突出する一対の係止ピン１ｂ，１ｂを導入するための略Ｌ字状に形成されたガイド溝１１を有し、そのガイド溝１１のＬ字端に、一対の係止ピン１ｂ，１ｂをツイストロックさせるための係止凹部１１ａ，１１ａが形成されており、かつ、工具取付部１ａの先端を当接させるためのストッパー（図示省略）を本体４内に設けている。その本体４上部の工具装着部４ａには、例えば、ＰＣ操作用工具（先端工具）Ｔが取り付けられている。
【０００４】
このような構成により、アダプタ３の本体４に共用操作棒１の工具取付部１ａを挿入して一対の係止ピン１ｂ，１ｂをガイド溝１１，１１に導入し係止凹部１１ａ，１１ａに対してツイストロックさせれば、アダプタ３の本体４を共用操作棒１に固定状態に保持させることができる。より詳しくは、共用操作棒１の工具取付部１ａには、弾発部材が内蔵されており、アダプタ３に共用操作棒１の工具取付部１ａを押し込むと、工具取付部１ａの先端がストッパーに当接して、係止ピン１ｂ，１ｂが弾発部材によって押し込み方向とは反対の方向に付勢されて係止凹部１１ａ，１１ａに抜け止め状態に係止する。さらに、工具取付部１ａの下部に螺装してあるロックナット１ｃを締結することにより、アダプタ３が共用操作棒１に強固に固定保持される。
【０００５】
【特許文献１】特開２００２−１３５９３５号公報
【発明の開示】
【発明が解決しようとする課題】
【０００６】
しかし、上述のようなツイストロック式のアダプタ３は、共用操作棒１に対して同軸方向にしか装着できず、先端工具Ｔの向きが一定方向に固定されていた。そのため、足場条件や作業内容によっては、良好な作業性が得られないことがあった。例えば、高圧カットアウトの事故点探査用アタッチメントでは、共用操作棒に対して若干下方に傾斜した状態に装着されている方が高圧カットアウトに対して接続しやすい場合が多い。
【０００７】
このような場合、従来では、先端工具の向きを変更するための菊座アダプタ（図示省略）と称する補助接続部材を介してツイストロック式のアダプタを共用操作棒に接続していたが、その着脱作業が面倒であり、また、そのような補助接続部材を携行するのも煩瑣であった。このような補助接続部材を用いなくても先端工具を所望の角度に調整可能に保持できるのが望ましいのは言うまでもない。
【０００８】
また、間接活線作業の際には、作業者はとりかかる作業の内容に応じて予め使用するであろう工具類を選択して携行するが、あまり多くの工具を揃えることはできず、必要最小限の工具しか携行できないことが多い。しかるに、現場で、予期しなかった作業内容や作業条件に遭遇することもあった。従って、共用操作棒だけでなく絶縁ヤットコにも保持させることができるような汎用性の高い先端工具用アダプタが望まれていた。
【０００９】
本発明は、このような実情に鑑みてなされ、ツイストロック式の工具取付部を先端に具備した共用操作棒及び一対の把持アームを操作棒の先端に備えた絶縁ヤットコの何れにも保持させることができる先端工具用アダプタを提供することを目的とする。
【課題を解決するための手段】
【００１０】
（１）本発明の先端工具用アダプタは、ツイストロック式の工具取付部１ａを先端に具備した共用操作棒１及び一対の把持アーム２ａ，２ｂを操作棒２ｃの先端に備えた絶縁ヤットコ２の何れにも保持させることができる先端工具用アダプタ３Ａであって、
上部に先端工具Ｔが装着される工具装着部４ａを有し、少なくとも下部が前記共用操作棒１の工具取付部１ａを挿入可能な筒状に形成された本体４と、
前記絶縁ヤットコ２の一方の把持アーム２ａを挿入させるために前記本体４の下部に形成される貫通孔５と、
前記共用操作棒１の工具取付部１ａの先端を当接させるために前記本体４内における前記貫通孔５より上方の位置に設けられるストッパー６と、
前記工具取付部１ａの直径方向に突出する一方の係止ピン１ｂを導入するために前記本体４の下端と前記貫通孔５の間に形成される一方のガイド溝８と、
前記一方の係止ピン１ｂを係入させるために前記貫通孔５の下部周縁に形成される一方の係止凹部５ａと、
他方の前記係止ピン１ｂを導入するために前記本体４に形成される他方のガイド溝９と、
前記他方の係止ピン１ｂを係入させるために前記一方の係止凹部５ａに対向して前記本体４に形成される他方の係止凹部９ａと、を具備したことを特徴とする。
【００１１】
このような構成の先端工具用アダプタ３Ａを共用操作棒１に保持させるには、共用操作棒１の工具取付部１ａを本体下部に挿入し、その工具取付部１ａに突出している一対の係止ピン１ｂ，１ｂをガイド溝８，９にそれぞれ導入して、その先端をストッパー６に当接するまで押込んでツイストさせて、その一対の係止ピン１ｂ，１ｂを係止凹部５ａ，９ａに係入させ、図示省略のロックナットを締結すればよい。このようにすれば、先端工具用アダプタ３Ｂを共用操作棒１に対して固定することができる。
【００１２】
一方、絶縁ヤットコ２に保持させるには、絶縁ヤットコ２の一方の把持アーム２ａを本体４に形成された貫通孔５に挿入して、その一方の把持アーム２ａと他方の把持アーム２ｂの間に、貫通孔５と本体４の下端の間の部分を挟み付ければよい。従って、把持アーム２ａ，２ｂの向き（操作棒２ｃに対する傾き）を調整できる絶縁ヤットコ２を使用すれば、先端工具用アダプタ３Ａを作業しやすい角度に保持させることができる。
【００１３】
（２）本発明の別の先端工具用アダプタは、ツイストロック式の工具取付部１ａを先端に具備した共用操作棒１及び一対の把持アーム２ａ，２ｂを操作棒２ｃの先端に備えた絶縁ヤットコ２の何れにも保持させることができる先端工具用アダプタ３Ｂであって、
上部に先端工具Ｔが装着される工具装着部４ａを有し、少なくとも下部が前記共用操作棒１の工具取付部１ａを挿入可能な筒状に形成された本体４と、
前記絶縁ヤットコ２の一方の把持アーム２ａを挿入させるために前記本体４の下部に直径方向に形成される一対の貫通孔５，５と、
前記共用操作棒１の工具取付部１ａの先端を当接させるために前記本体４内における前記貫通孔５，５より上方の位置に設けられるストッパー６と、
前記工具取付部１ａの直径方向に突出する一方の係止ピン１ｂ，１ｂをそれぞれ導入するために前記本体４の下端と前記一対の貫通孔５，５の間にそれぞれ形成されるガイド溝８，８と、
前記一対の係止ピン１ｂ，１ｂを係入させるために前記一対の貫通孔５，５の下部周縁に形成される係止凹部５ａ，５ａと、を具備したことを特徴とする。
【００１４】
このような構成の先端工具用アダプタ３Ｂを共用操作棒１に保持させるには、共用操作棒１の工具取付部１ａを本体下部に挿入し、その工具取付部１ａに突出している一対の係止ピン１ｂ，１ｂをガイド溝８，８に導入して、その先端をストッパー６に当接するまで押込んでツイストさせて、その一対の係止ピン１ｂ，１ｂを係止凹部５ａ，５ａに係入させ、図示省略のロックナットを締結すればよい。このようにすれば、先端工具用アダプタ３Ｂを共用操作棒１に対して固定することができる。
【００１５】
一方、絶縁ヤットコ２に保持させるには、絶縁ヤットコ２の一方の把持アーム２ａを本体４に形成された一対の貫通孔５，５に挿入して、その一方の把持アーム２ａと他方の把持アーム２ｂの間に、貫通孔５，５と本体４の下端の間の部分を挟み付ければよい。従って、把持アーム２ａ，２ｂの向き（操作棒２ｃに対する傾き）を調整できる絶縁ヤットコ２を使用すれば、先端工具用アダプタ３Ｂを作業しやすい角度に保持させることができる。なお、本発明では、絶縁ヤットコ２の一方の把持アーム２ａを一対の貫通孔５，５に挿入するので、先端工具用アダプタ３Ｂをより一層安定な状態に保持することができる。
【発明の効果】
【００１６】
本発明の先端工具用アダプタは、共用操作棒と絶縁ヤットコの何れにも保持させることができ利便性が向上する。また、把持アームの向き（操作棒に対する角度）を調整可能な絶縁ヤットコを使用すれば、先端工具用アダプタを作業しやすい角度に保持させることができる。
【００１７】
本発明の別の先端工具用アダプタは、共用操作棒と絶縁ヤットコの何れにも保持させることができ利便性が向上する。絶縁ヤットコに把持させる場合、一方の把持アームを一対の貫通孔に挿入するので、先端工具用アダプタをより一層安定な状態に保持することができる。また、把持アームの向き（操作棒に対する角度）を調整可能な絶縁ヤットコを使用すれば、先端工具用アダプタを作業しやすい角度に保持させることができる。
【発明を実施するための最良の形態】
【００１８】
以下に、本発明の最良の実施の形態に係る先端工具用アダプタについて図面を参照しつつ詳細に説明する。
〔実施の形態１〕
図１（ａ）は先端工具用アダプタの正面図、（ｂ）は先端工具用アダプタの本体の展開図、図２（ａ）は先端工具用アダプタを共用操作棒に保持させた状態の正面図、（ｂ）はその背面図、図３は先端工具用アダプタを絶縁ヤットコに把持させた状態の側面図である。まず、図１（ａ）（ｂ）にて、符号３Ａは先端工具用アダプタ、４はその本体で、少なくとも下部が共用操作棒１（図７（ａ）参照）の工具取付部１ａを挿入可能な円筒状に形成され、その上部には先端工具Ｔが装着される工具装着部４ａを有している。５は、絶縁ヤットコ２（図７（ｂ）参照）の一方の把持アーム２ａを挿入させるために本体４の下部正面側に形成される貫通孔、６は、共用操作棒１の工具取付部１ａの先端を当接させるために本体４内の貫通孔５より上方の位置に設けられるストッパーで工具装着部４ａの下部に接する本体４の天井部の内面を指す。
【００１９】
８は、共用操作棒１の工具取付部１ａの直径方向に突出する一方の係止ピン１ｂを導入するために本体４の下端と貫通孔５の間に形成される一方のガイド溝、５ａは、一方の係止ピン１ｂを係入させるために貫通孔５の下部周縁の一端側に形成された一方の係止凹部、９は、他方の係止ピン１ｂを導入するために本体４の裏面側に略Ｌ字状に形成される他方のガイド溝、９ａは、他方の前記係止ピン１ｂを係入させるために一方の係止凹部５ａに対向してガイド溝９のＬ字端に形成される他方の係止凹部である。
【００２０】
このように構成される先端工具用アダプタ３Ａを、共用操作棒１に保持させるには、共用操作棒１の工具取付部１ａを本体４に下部から挿入し、その工具取付部１ａに突出している一対の係止ピン１ｂ，１ｂをガイド溝８，９に導入して、その先端をストッパー６に当接するまで押込んでツイストさせて、その一対の係止ピン１ｂ，１ｂを係止凹部５ａ，９ａに付勢状態に係入させた後、工具取付部１ａの下部に螺装してあるロックナット１ｃを締結すればよい（図２（ａ）（ｂ）参照）。
【００２１】
一方、先端工具用アダプタ３Ａを絶縁ヤットコ２に保持させるには、絶縁ヤットコ２の一方の把持アーム２ａを本体４の正面側に形成された貫通孔５に挿入して、その一方の把持アーム２ａと他方の把持アーム２ｂの間に、貫通孔５と本体４の下端の間の部分を挟み付けることで、先端工具用アダプタ３Ａを絶縁ヤットコ２に安定な状態に把持させることができる（図３参照）。従って、把持アーム２ａ，２ｂの向き（操作棒２ｃに対する傾き）を調整できる絶縁ヤットコ２を使用すれば、先端工具用アダプタ３Ａを作業しやすい角度に保持させることができる。
【００２２】
共用操作棒１及び絶縁ヤットコ２については、周知のように、例えば、図７（ａ）（ｂ）に示される。図７（ａ）に示す共用操作棒１では、その工具取付部１ａは金属材で形成されるが、その他の部分（棒本体１ｄ等）は、エポキシＦＲＰやフッ素樹脂等の絶縁体が使用される。また、図７（ｂ）に示す絶縁ヤットコ２も、把持アーム２ａ，２ｂ及びレバー２ｅは金属材で形成されるが、その他の部分（棒本体２ｃ及び操作棒２ｄ等）は、同様に、エポキシＦＲＰやフッ素樹脂等の絶縁体が使用される。また、先端工具用アダプタ３Ａに装着される先端工具Ｔとしては、例えば、図８（ａ）に示すような高低圧検電器、（ｂ）に示すような引掛具や図示省略の切断工具や把持工具、ボルト締結工具、電線接続工具、電線皮剥工具、ＰＣ操作用工具（図９参照）等々がある。また、（ｃ）に示すような菊座コネクタＣ１にも装着できる。菊座コネクタＣ１は、先端工具Ｔ付きの菊座部Ｃ２をボルト締結によって任意の角度に固定することができる。
【００２３】
〔実施の形態２〕
図４（ａ）は先端工具用アダプタの正面図、（ｂ）は先端工具用アダプタの本体の展開図、図５は先端工具用アダプタを共用操作棒に保持させた状態の正面図、図６は先端工具用アダプタを絶縁ヤットコに把持させた状態の側面図である。図４（ａ）（ｂ）にて、符号３Ｂは先端工具用アダプタで、この先端工具用アダプタ３Ｂは、本体４の正面側と裏面側とに一対の貫通孔５，５が形成されている点が前実施の形態と異なり、その他の点については前実施の形態と同じであり、前実施の形態と同一乃至は同等の部品乃至は部材については同一符号を付してその説明を省略する。
【００２４】
このように構成される先端工具用アダプタ３Ｂを、まず、共用操作棒１に保持させるには、共用操作棒１の工具取付部１ａを本体４に下部から挿入し、その工具取付部１ａに突出している一対の係止ピン１ｂ，１ｂをガイド溝８，８に導入して、その先端をストッパー６に当接するまで押込んでツイストさせて、その一対の係止ピン１ｂ，１ｂを係止凹部５ａ，５ａに付勢状態に係入させた後、工具取付部１ａの下部に螺装してあるロックナット１ｃを締結すればよい（図５参照）。
【００２５】
一方、先端工具用アダプタ３Ｂを絶縁ヤットコ２に保持させるには、絶縁ヤットコ２の一方の把持アーム２ａを本体４の下部に形成された貫通孔５，５に挿入して、その一方の把持アーム２ａと他方の把持アーム２ｂの間に、貫通孔５，５と本体４の下端の間の部分を挟み付けることで、先端工具用アダプタ３Ｂを絶縁ヤットコ２により一層安定な状態に把持させることができる（図６参照）。従って、把持アーム２ａ，２ｂの向き（操作棒２ｃに対する傾き）を調整できる絶縁ヤットコ２を使用すれば、先端工具用アダプタ３Ｂを作業しやすい角度に保持させることができる。なお、保持させる共用操作棒１及び絶縁ヤットコ２や装着される先端工具は、前実施の形態と同じである。
【図面の簡単な説明】
【００２６】
【図１】（ａ）は本発明の実施の形態１に係る先端工具用アダプタの正面図、（ｂ）は先端工具用アダプタの本体の展開図である。
【図２】（ａ）は同先端工具用アダプタを共用操作棒に保持させた状態の正面図、（ｂ）はその背面図
【図３】同先端工具用アダプタを絶縁ヤットコに把持させた状態の側面図である。
【図４】（ａ）は本発明の実施の形態２に係る先端工具用アダプタの正面図、（    ｂ）は先端工具用アダプタの本体の展開図である。
【図５】同先端工具用アダプタを共用操作棒に保持させた状態の正面図である。
【図６】同先端工具用アダプタを絶縁ヤットコに把持させた状態の側面図である。
【図７】（ａ）は共用操作棒、（ｂ）は絶縁ヤットコの正面図である。
【図８】（ａ）は高低圧検電器、（ｂ）は引掛具、（ｃ）は菊座コネクタである。
【図９】従来のＰＣ操作用工具付きのアダプタを共用操作棒に取り付ける説明図である。
【符号の説明】
【００２７】
１…共用操作棒
１ａ…工具取付部
１ｂ…係止ピン
２…絶縁ヤットコ
２ａ，２ｂ…把持アーム
２ｃ…操作棒
３Ａ，３Ｂ…先端工具用アダプタ
４…本体
４ａ…工具装着部
５…貫通孔
５ａ…係止凹部
６…ストッパー
８，９…ガイド溝
９ａ…係止凹部
【図１】
0004519040.tif 000002
【図２】
0004519040.tif 000003
【図３】
0004519040.tif 000004
【図４】
0004519040.tif 000005
【図５】
0004519040.tif 000006
【図６】
0004519040.tif 000007
【図７】
0004519040.tif 000008
【図８】
0004519040.tif 000009
【図９】
0004519040.tif 000010